(57)【特許請求の範囲】
【請求項１】
発注者毎の作業所にそれぞれ設置された作業所端末から通信回線を介してシステムサーバにアクセスするステップと、
前記システムサーバが、アクセスした前記作業所端末を認識し、前記作業所端末に対応した発注者のフォーマットに準じた観測用項目データ、ならびに掘削面観測データの入力を促すステップと、
前記システムサーバが、前記掘削面観測データから、入力した各々の前記作業所端末に対応した発注者の掘削面評価点を算出するステップと、
前記システムサーバが、前記観測用項目データ、前記掘削面観測データ、ならびに前記掘削面評価点をデータベースに格納するステップとを有し、前記作業所端末によって前記データベースを共有化することを特徴とする掘削面情報管理方法。
【請求項２】
請求項１記載の掘削面情報管理方法において、前記作業所端末から要求があった際に、前記システムサーバが、前記観測用項目データ、前記掘削面観測データ、ならびに前記掘削面評価点を前記発注者の定型フォーマットに準じて、標準データ転送方式で転送可能な標準データファイルに変換するステップと、
前記システムサーバが、変換した標準データファイルを前記作業所端末に出力するステップとを有することを特徴とする掘削面情報管理方法。
【請求項３】
請求項２記載の掘削面情報管理方法において、前記標準データファイルが、ＰＤＦファイルであることを特徴とする掘削面情報管理方法。
【発明の詳細な説明】
【０００１】
【発明の属する技術分野】
本発明は、トンネル掘削面情報の管理技術に関し、特に、全国のトンネル掘削面における情報のデータベースによる一元的な管理、および共有化に適用して有効な技術に関するものである。
【０００２】
【従来の技術】
土木分野におけるトンネル工事は、施工を担当する業者、いわゆるゼネコンなどが発注者に対して、岩盤などの掘削時に掘削面、いわゆる切羽の調査などを実施し、切羽観察報告書などの施工報告書を進捗状況にあわせて提出することが広く行われている。
【０００３】
たとえば、掘削面の調査方法としては、掘削面を目視によって観察し、圧縮強度、風化変質、割れ目間隔などの様々な観察項目に対して評価を行う手法が一般的に行われている。
【０００４】
そして、観察された項目の評価結果は、表計算などのアプリケーションソフトウェアを利用して各作業所において発注者のフォーマットにあわせた形態で作成し、前述した切羽観察報告書として提出される。
【０００５】
【発明が解決しようとする課題】
ところが、上記のような掘削面の調査技術では、次のような問題点があることが本発明者により見い出された。
【０００６】
すなわち、掘削面の調査結果は、データベースとしては管理されておらず、ある切羽における地質情報が必要となった際には、作業者が報告書を手作業によって検索しなければならず、検索時間や工数などが多く掛かってしまうという問題がある。
【０００７】
また、前述したように、掘削面の調査結果がデータベースとして管理されていないため、調査結果のデータ解析などの情報の有効利用が困難となっている。
【０００８】
本発明の目的は、全国の様々なトンネル掘削面の情報をデータベース化して一元的に管理することによって、情報を共有化し、効率よく該情報の管理、ならびに検索などを行うことができる情報管理システムおよびその方法を提供することにある。
【０００９】
【課題を解決するための手段】
本発明の掘削面情報管理システムは、通信回線に接続され、発注者毎の作業所にそれぞれ設置され、掘削面の観測用項目データ、ならびに掘削面観測データを入力する作業所端末と、通信回線を介して作業所端末に接続され、該作業所端末の要求に応じて任意の演算処理を行うシステムサーバと、該システムサーバに接続され、観測用項目データ、掘削面観測データ、および掘削面評価点を格納するデータベースとを備え、システムサーバは、アクセスした作業所端末に対応した発注者のフォーマットに準じた観測用項目データ、ならびに掘削面観測データの入力を促し、その掘削面観測データから、入力した各々の作業所端末に対応した発注者の掘削面評価点を算出するとともに、観測用項目データ、掘削面観測データ、ならびに掘削面評価点をデータベースに格納して管理し、作業所端末によってデータベースを共有化することを特徴とする。
【００１０】
また、本発明の掘削面情報管理システムは、通信回線に接続され、発注者毎の作業所にそれぞれ設置され、掘削面の観測用項目データ、ならびに掘削面観測データを入力する作業所端末と、掘削面観測データから任意の発注者に対応した掘削面評価点を算出する評価点算出部を設け、通信回線に接続されたシステムサーバと、該システムサーバに接続され、観測用項目データ、掘削面観測データ、ならびに掘削面評価点を格納するデータベースとを備え、システムサーバは、アクセスした作業所端末に対応した発注者のフォーマットに準じた観測用項目データ、ならびに掘削面観測データの入力を促し、評価点算出部が掘削面観測データから、入力した各々の前記作業所端末に対応した発注者の掘削面評価点を算出するとともに、ファイル変換部が、観測用項目データ、掘削面観測データ、ならびに掘削面評価点をデータベースに格納して管理し、作業所端末によってデータベースを共有化することを特徴とする。
【００１１】
さらに、本発明の掘削面情報管理システムは、前記システムサーバに、観測用項目データ、掘削面観測データ、ならびに掘削面評価点を標準データ転送方式で転送可能な標準データファイルに変換するファイル変換部を設け、該ファイル変換部は、作業所端末から要求された際に、データベースに格納された観測用項目データ、掘削面観測データ、ならびに掘削面評価点を発注者の定型フォーマットに準じて標準データファイルに変換して作業所端末に出力することを特徴とする。
【００１２】
また、本発明の掘削面情報管理システムは、前記ファイル変換部が変換する標準データファイルが、ＰＤＦ（Ｐｏｒｔａｂｌｅ  Ｄｏｃｕｍｅｎｔ  Ｆｏｒｍａｔ）ファイルであることを特徴とする。
【００１３】
さらに、本発明の掘削面情報管理方法は、発注者毎の作業所にそれぞれ設置された作業所端末から通信回線を介してシステムサーバにアクセスするステップと、該システムサーバが、アクセスした作業所端末を認識し、その作業所端末に対応した発注者のフォーマットに準じた観測用項目データ、ならびに掘削面観測データの入力を促すステップと、システムサーバが、掘削面観測データから、入力した各々の作業所端末に対応した発注者の掘削面評価点を算出するステップと、システムサーバが、観測用項目データ、掘削面観測データ、ならびに掘削面評価点をデータベースに格納するステップとを有し、作業所端末によってデータベースを共有化することを特徴とする。
【００１４】
また、本発明の掘削面情報管理方法は、作業所端末から要求があった際に、システムサーバが、観測用項目データ、掘削面観測データ、ならびに掘削面評価点を前記発注者の定型フォーマットに準じて、標準データ転送方式で転送可能な標準データファイルに変換するステップと、該システムサーバが、変換した標準データファイルを作業所端末に出力するステップとを有することを特徴とする。
【００１５】
さらに、本発明の掘削面情報管理方法は、前記標準データファイルが、ＰＤＦファイルであることを特徴とする。
【００１６】
以上のことにより、全国のトンネル現場における掘削面のデータをデータベースによって一括管理するので、様々な掘削面の地質データなどをリアルタイムで容易に、かつ短時間で検索することができる。
【００１７】
また、作業所端末から掘削面の観測用項目データ、ならびに掘削面観測データを入力するだけで、それぞれの発注者のフォーマットに対応したデータシートをシステムサーバが生成して出力するので、作業所端末側に特別なアプリケーションソフトウェアなどが不要となり、掘削面情報管理システムを低コストでシステムを構築することができるとともに信頼性を大幅に向上することができる。
【００１８】
【発明の実施の形態】
以下、本発明の実施の形態を図面に基づいて詳細に説明する。
【００１９】
図１は、本発明の一実施の形態による情報管理システムの構成図、図２〜図１５は、図１の情報管理システムによる切羽の地質データの入力から切羽観察データシートの印刷イメージの出力までに表示される画面の説明図、図１６は、図１の情報管理システムによる切羽の地質データの入力から切羽観察データシートの印刷イメージの出力までの動作を示すフローチャートである。
【００２０】
本実施の形態において、トンネル掘削面の情報管理システム１は、作業所端末２1 〜２N 、一般端末３、システムサーバ（評価点算出部、ファイル変換部）４、ならびにデータベース５から構成されている。
【００２１】
これら作業所端末２1 〜２N 、および一般端末（作業所端末）３は、たとえば、デスクトップ型やノート型のパーソナルコンピュータ、あるいはワークステーションなどの端末であり、電話回線、無線回線、あるいは専用回線などの回線を介して、情報ネットワークであるインターネット（通信回線）ＮＷに接続されている。そして、作業所端末２1 〜２N 、一般端末３とシステムサーバ４とがインターネットＮＷを介してそれぞれ接続される。
【００２２】
ここで、作業所端末２1 〜２N 、ならびに一般端末３はパーソナルコンピュータやワークステーションなどの端末以外でもよく、電子メール利用や簡易ブラウザなどのインターネット通信プログラムを搭載した携帯電話機、ＰＨＳ（Ｐｅｒｓｏｎａｌ  Ｈａｎｄｙ−ｐｈｏｎｅ  Ｓｙｓｔｅｍ）などの、いわゆるブラウザフォン、あるいはＰＤＡ（Ｐｅｒｓｏｎａｌ  Ｄｉｇｉｔａｌ  Ａｓｓｉｓｔａｎｔｓ）などの携帯端末情報通信機器などであってもよい。
【００２３】
作業所端末２1 〜２N は、全国のトンネル工事現場にそれぞれ設置されており、各工事現場で観察された切羽における各項目の評価結果などの入力、および検索を行う。これら作業所端末２1 〜２N には、プリンタ２ａ1 〜２ａN がそれぞれ接続されており、任意の情報をプリントアウトする。
【００２４】
また、作業所端末２1 〜２N においては、該作業所端末２1 〜２N がそれぞれ設置された工事現場における切羽の評価結果など情報だけを検索することができる。
【００２５】
一般端末３は、たとえば、パスワードなどを有する担当者のみがシステムサーバ４にアクセスすることのできる端末であり、データベース５に格納されたすべての情報を閲覧することができる。
【００２６】
システムサーバ４は、ファイル管理、データベース管理、データの提供、および加工、プリンタ２ａ1 〜２ａN による印刷の制御、通信機能などのサービスを作業所端末２1 〜２N や一般端末３などの要求に応じて行う、いわゆるアプリケーションサービスプロバイダ方式となっている。
【００２７】
これにより、主要なプログラムの処理などをシステムサーバ４が行うので、保守性に優れ、セキュリティを向上することができるとともに、プログラムの不具合発生時などの対応を迅速に行うことができる。
【００２８】
作業所端末２1 〜２N 、および一般端末３は、システムサーバ４に対してサービスを要求し、該システムサーバ４が行ったデータ処理の結果を受け取り、表示などを行う。
【００２９】
システムサーバ４には、データベース５が接続されている。このデータベース５には、情報管理システム１のすべての制御を司るプログラム、作業所端末２1 〜２N や一般端末３から入力された地質データなどの情報、およびシステムサーバ４が加工した情報などの様々な情報が格納されている。
【００３０】
次に、本実施の形態における情報管理システム１の動作について、図１、および図２〜図１５の表示画面、図１６のフローチャートを用いて説明する。
【００３１】
ここでは、作業所端末２1 からシステムサーバ４にアクセスし、切羽の地質データを入力する場合について説明する。また、作業所端末２1 は、発注者Ａが発注した作業所に設置されているものとする。
【００３２】
まず、利用者は、作業所端末２1 からＷＷＷ（Ｗｏｒｌｄ  Ｗｉｄｅ  Ｗｅｂ）ブラウザなどのインターネット通信プログラムを起動させ、システムサーバ４にアクセスする。
【００３３】
システムサーバ４にアクセスすると、作業所端末２1 の表示画面には、図２に示すように、’メインメニュー’の画面Ｇ１が表示される（ステップＳ１０１）。表示された画面Ｇ１は発注者Ａの専用メニューであり、予めシステムサーバ４側において、作業所端末２1 がアクセスした際には、発注者Ａの専用メニューが表示されるように設定されている。
【００３４】
この’メインメニュー’の画面Ｇ１から’新規データシート入力’のボタンＢ１を選択すると（ステップＳ１０２）、図３に示すように、’データシート基本項目の入力’の画面Ｇ２が表示される。
【００３５】
利用者は、画面Ｇ２から入力必須項目である観測項目データを入力する。この観測項目データは、’観察ＮＯ．’、測点Ｓｔａ（ｓｔａｔｉｏｎ）．’、ならびに’断面番号’である。
【００３６】
また、その他の観測項目データである’支保パターン’、’土被り高さ’、’岩石名・地質時代’、’補助工法の諸元’、増し支保工の諸元’、’特殊条件・状態等’、’崩壊の有無、状況’、および’インバートの早期閉合の有無’などの項目も必要な際には任意に入力する（ステップＳ１０３）。
【００３７】
そして、作業所端末２1 から、切羽における圧縮強度、風化変質、割れ目間隔、割れ目状態、走向傾斜、湧水量、ならびに水による劣化などの評価からなる切羽観測データ（掘削面観測データ）を順次入力する。
【００３８】
データシート基本項目の入力が終了すると、利用者は、画面Ｇ２左下の’圧縮強度評価へ’のボタンＢ２をクリックし、作業所端末２1 の表示画面に、図４に示すように、’圧縮強度に関する入力’の画面Ｇ３を表示させる。
【００３９】
この画面Ｇ３には、切羽の左肩、中央、右肩の部位における圧縮強度のチェックボックスが設けられており、利用者は、測定した切羽の左肩部、天端、右肩部の圧縮強度に該当するチェックボックスをマウスなどによって選択し、入力する（ステップＳ１０４）。
【００４０】
チェックボックスは、画面に表示された項目から必要なものを選択する仕組みであり、該チェックボックスにマウスポインタを合わせてクリックすることにより、その項目が選択されてチェックマークがつくものである。
【００４１】
また、圧縮強度は、たとえは、岩片をハンマー打撃したり、あるいは強度試験機にかけて測定する場合などがあり、いずれかが任意に行われる。さらに、’評価区分選択’に表示された’左肩’、’中央’、および’右肩’は、画面Ｇ２の左下に表示された切羽説明図の左肩部、天端、右肩部にそれぞれ該当する。
【００４２】
圧縮強度の入力が終了すると、利用者は、’圧縮強度の入力’画面Ｇ３の中央下部の’風化変質の評価へ’ボタンＢ３を選択し、図５に示すように、’風化変質の入力’の画面Ｇ４を表示させる。
【００４３】
ここでも、画面Ｇ４には、切羽の左肩、中央、右肩の部位における風化変質を評価するチェックボックスが設けられており、利用者は、目視によって観察した切羽の左肩部、天端、右肩部の風化変質に該当するチェックボックスをマウスなどによってそれぞれ選択し、入力する（ステップＳ１０５）。
【００４４】
その後、利用者が、画面Ｇ４中央下部の’圧縮強度評価へ’のボタンＢ４をクリックすることによって、作業所端末２1 の表示画面には、図６に示すように、’割れ目間隔の入力’の画面Ｇ５を表示させる。
【００４５】
この画面Ｇ５においても、切羽の左肩、中央、右肩の部位における岩盤の各々の割れ目間隔を評価するチェックボックスが設けられており、観察した切羽の左肩部、天端、右肩部の割れ目間隔に該当するチェックボックスをマウスなどによってそれぞれ選択し、入力する（ステップＳ１０６）。
【００４６】
入力後、’割れ目間隔の入力’画面Ｇ５の中央下部の’割れ目状態の評価へ’のボタンＢ５をクリックし、作業所端末２1 の表示画面に、図７に示すように、’割れ目の状態の入力’の画面Ｇ６を表示させる。
【００４７】
この場合にも、画面Ｇ６には、切羽の左肩、中央、右肩の部位における岩盤の割れ目状態を評価するチェックボックスが設けられており、観察した切羽の左肩部、天端、右肩部の割れ目状態に該当するチェックボックスをマウスなどによってそれぞれ選択し、入力する（ステップＳ１０７）。
【００４８】
そして、’割れ目間隔の入力’画面Ｇ５の中央下部の’割れ目状態の評価へ’のボタンＢ６をクリックして作業所端末２1 の表示画面に、図８に示すように、’走向傾斜の入力’の画面Ｇ７を表示させる。
【００４９】
この画面Ｇ７では、切羽の左肩、中央、右肩の部位において走向がトンネル軸と直角の場合と、切羽の左肩、中央、右肩の部位において走向がトンネル軸と平行の場合と走向傾斜を評価するチェックボックスが設けられており、観察した走向傾斜に該当するチェックボックスをマウスなどによってそれぞれ選択し、入力する（ステップＳ１０８）。
【００５０】
その後、画面Ｇ７の中央下部の’湧水量の評価へ’のボタンＢ７をクリックし、作業所端末２1 の表示画面に、図９に示すように、’湧水量の入力’の画面Ｇ８を表示させる。
【００５１】
画面Ｇ８においては、切羽の左肩、中央、右肩の部位における湧水量を評価するチェックボックスが設けられており、観察した切羽の左肩部、天端、右肩部の湧水量に該当するチェックボックスをマウスなどによってそれぞれ選択し、入力する（ステップＳ１０９）。
【００５２】
入力後、画面Ｇ８の中央下部の’水による劣化の評価へ’のボタンＢ８をクリックし、作業所端末２1 の表示画面に、図１０に示すように、’水による劣化の入力’の画面Ｇ９を表示させる。
【００５３】
この画面Ｇ９は、切羽の左肩、中央、右肩の部位において、切羽１０ｍ区間での湧水量と水による劣化状態とを評価するチェックボックスが設けられており、観察した劣化状態に該当するチェックボックスをマウスなどによってそれぞれ選択し、入力する（ステップＳ１１０）。
【００５４】
これらの入力が終了すると、利用者は、画面Ｇ９の中央下部の’入力項目チェックへ’のボタンＢ９をクリックする。作業所端末２1 の表示画面には、図１１に示すように、’入力値の確認’の画面Ｇ１０が表示される。
【００５５】
この画面Ｇ１０は、ステップＳ１０３〜Ｓ１１０の処理において入力されたデータが一覧表形式で表示されており、利用者は、この画面１０によって入力したデータが間違っていないか再確認する。
【００５６】
入力データに間違いがない場合には、画面Ｇ１０の左下に設けられた’評価点計算’のボタンＢ１０を選択する。また、入力データに誤りがある際には、画面Ｇ１０のテキストボックスに表示されているデータを直接編集して修正する。
【００５７】
画面Ｇ１０の’評価点計算’のボタンＢ１０が選択されると、システムサーバ４は、入力されたチェックボックスの評価から、予め選択された発注者Ａの標準仕様に見合った評価点を算出し（ステップＳ１１２）、図１２に示すように、算出結果の画面Ｇ１１が表示される。この画面Ｇ１１の中央部には、システムサーバ４によって算出された評価点が、’切羽評価点’として表Ｈ１，Ｈ２にそれぞれ表示されている。
【００５８】
利用者は、算出された切羽評価点（掘削面評価点）を確認すると、’データベースに書き込み’のボタンＢ１１を選択する。これによって、システムサーバ４は、切羽評価点、および作業所端末２1 から入力されたデータをデータベース５に格納する（ステップＳ１１３）。
【００５９】
これらデータの格納が終了すると、作業所端末２1 の表示画面には、保存が終了した旨のメッセージが表示され、その後、作業所端末２1 の表示画面に、’メインメニュー’の画面Ｇ１（図２）が再び表示される（ステップＳ１１４）。
【００６０】
この画面Ｇ１から’データシートだけのＰＤＦファイル作成’のボタンＢ１１を選択すると、作業所端末２1 の表示画面には、図１３に示すように、’ＰＤＦファイル作成データシート選択’の画面Ｇ１２が表示される。
【００６１】
この画面Ｇ１２からＰＤＦファイルを生成するデータシートの’切羽ＩＤ’のボタンＢ１２をマウスなどによって選択すると（ステップＳ１１５）、システムサーバ４によってＰＤＦファイル作成の処理が行われる（ステップＳ１１６）。
【００６２】
ここで、ＰＤＦ（Ｐｏｒｔａｂｌｅ  Ｄｏｃｕｍｅｎｔ  Ｆｏｒｍａｔ）ファイルは、インターネット経由で配信される電子文書の標準的なファイル形式であり、該ＰＤＦファイル作成の処理によって、切羽観察データシートは、前述した発注者Ａが標準とするチェックシートのフォーマットに変換される。
【００６３】
変換後、作業所端末２1 の表示画面には、’メインメニュー’の画面Ｇ１が表示される（ステップＳ１１７）。そして、利用者が、画面Ｇ１の’ＰＤＦファイルのプリンタ印刷’のボタンＢ１３を選択すると、図１４に示すように、’印刷用ＰＤＦファイル選択’の画面Ｇ１３が作業所端末２1 の表示画面に表示される。
【００６４】
この画面Ｇ１３から、今回作成した’データシートのみのファイルの’ＤＳ３．ｐｄｆ’のボタンＢ１４を選択することによって（ステップＳ１１８）、作業所端末２1 の表示画面には、図１５に示すように、発注者Ａの標準仕様のフォーマットに変換されたデータシート、すなわち切羽観察報告書の’印刷イメージ’の画面Ｇ１４が表示される（ステップＳ１１９）。
【００６５】
このデータシートをプリントアウトする際には、画面Ｇ１４のメニューバーの項目からプルダウンメニューの印刷のボタンを選択することによって、作業所端末２1 に接続されたプリンタ２ａ1 からプリントアウトし、発注者に切羽観察報告書として提出する。
【００６６】
また、切羽のスケッチ図が必要な場合には、’メインメニュー’の画面Ｇ１の’切羽写真のアップロード’のボタンＢ１５を選択し、たとえば、スキャナなどによって写真やスケッチをスキャニングして作業所端末２1 を介して画像データを取り込み、データベース５に格納する。さらに、デジタルカメラなどを用いる場合には、作業所端末２1 から直接画像データを取り込むことができる。
【００６７】
そして、画面Ｇ１から’スケッチ図だけのＰＤＦファイル作成’のボタンＢ１６を選択すると、作業所端末２1 の表示画面には、スケッチ図選択’の画面が表示され、ＰＤＦファイルを生成するスケッチ図をマウスなどによって選択することによって、システムサーバ４がＰＤＦファイル作成の処理を行う。
【００６８】
さらに、スケッチ図にコメントを付け加える際には、画面Ｇ１の’スケッチ図へコメント付加’のボタンＢ１７を選択し、作業所端末２1 からコメントを入力する。
【００６９】
そして、切羽スケッチを出力する際には、画面Ｇ１３（図１４）の’切羽スケッチのみ’の該当するファイルのボタン、たとえば、’ＤＳ１  ＳＫ．ｐｄｆ’のボタンＢを選択することによって、作業所端末２1 の表示画面に発注者Ａの標準仕様のフォーマットに見合ったスケッチ図が表示され、データシートと同様にプルダウンメニューの印刷のボタンを選択することによって、プリンタ２ａ1 からプリントアウトされる。
【００７０】
また、データシートと切羽スケッチとを出力する際には、画面Ｇ１３の’両方’の該当するファイルのボタン、たとえば、’ＤＳ１  Ａ３．ｐｄｆ’のボタンＢを選択し、以下同様にプリントアウトする。
【００７１】
さらに、作業所端末２1 から検索、ならびにプリントアウトできる切羽観察報告書は、該作業所端末２1 から入力された地質データ分だけであり、他の作業所端末２2 〜２N から入力された地質データなどは閲覧できないものとする。
【００７２】
しかし、一般端末３では、閲覧権限を保有した地質担当技術者だけがシステムサーバ４にアクセスすることができ、データベース５に格納されたすべての情報を閲覧することができるので、この一般端末３によって、全国のトンネル工事における切羽の地質データ検索や解析などを短時間で、容易に行うことができる。
【００７３】
ここで、一般端末３によってデータベース５を検索する場合について説明する。
【００７４】
データベース５を検索する際には、一般端末３に格納されているインターネット通信プログラムを起動させ、システムサーバ４にアクセスする。このとき、システムサーバ４は、アクセスした端末が、作業所端末２1 〜２N か、または一般端末３であるかを判定する。
【００７５】
システムサーバ４が一般端末３と判定すると、一般端末３の表示画面にパスワードなどの認識番号の入力を促すメニューが表示される。そして、一般端末３から入力された認識番号を入力し、その識別番号が正しい場合には、システムサーバ４はデータベース５へのアクセスを許可する。これによって、一般端末３は、データベース５を自由に検索することができる。
【００７６】
それにより、本実施の形態によれば、全国のトンネル現場における切羽データをデータベースによって一括管理することができるので、様々な切羽の地質データなどを容易に、かつ短時間で検索することができる。
【００７７】
また、作業所端末２1 〜２N から切羽の観測用項目データ、ならびに切羽観測データを入力するだけで、それぞれの発注者のフォーマットに対応したデータシートをシステムサーバ４が生成して出力するので、作業所端末２1 〜２N 側に特別なアプリケーションソフトウェアのインストールなどが不要となり、情報管理システム１を低コストで構築することができるとともに信頼性を大幅に向上することができる。
【００７８】
本発明は前記実施の形態に限定されるものではなく、その要旨を逸脱しない範囲で種々変更可能であることはいうまでもない。
【００７９】
たとえば、前記実施の形態では、作業所端末、一般端末、およびサーバが、インターネットを介して接続された構成としたが、一般端末とサーバとをＬＡＮ（Ｌｏｃａｌ  Ａｒｅａ  Ｎｅｔｗｏｒｋ）などの専用回線で接続したり、これら作業所端末、一般端末、ならびにサーバをＷＡＮ（Ｗｉｄｅ  Ａｒｅａ  Ｎｅｔｗｏｒｋ）などの専用回線によってそれぞれ接続するようにしてもよい。
【００８０】
【発明の効果】
（１）本発明によれば、全国のトンネル現場における切羽データをデータベースによって一括管理することができ、様々な切羽の地質データなどをリアルタイムで容易に、かつ短時間で検索することができる。
（２）また、本発明では、任意の発注者のフォーマットに対応したデータシートを短時間で出力することができるので、切羽観察報告書などを効率よく作成することができる。
（３）さらに、本発明においては、上記（１）、（２）により、掘削面情報管理システムを低コストで構築することができるとともに信頼性を大幅に向上することができる。
【図面の簡単な説明】
【図１】本発明の一実施の形態による情報管理システムの構成図である。
【図２】図１の情報管理システムによる切羽の地質データの入力からデータシートの印刷イメージの出力までに表示される画面の説明図である。
【図３】図２に続く情報管理システムによる切羽の地質データの入力からデータシートの印刷イメージの出力までに表示される画面の説明図である。
【図４】図３に続く情報管理システムによる切羽の地質データの入力からデータシートの印刷イメージの出力までに表示される画面の説明図である。
【図５】図４に続く情報管理システムによる切羽の地質データの入力からデータシートの印刷イメージの出力までに表示される画面の説明図である。
【図６】図５に続く情報管理システムによる切羽の地質データの入力からデータシートの印刷イメージの出力までに表示される画面の説明図である。
【図７】図６に続く情報管理システムによる切羽の地質データの入力からデータシートの印刷イメージの出力までに表示される画面の説明図である。
【図８】図７に続く情報管理システムによる切羽の地質データの入力からデータシートの印刷イメージの出力までに表示される画面の説明図である。
【図９】図８に続く情報管理システムによる切羽の地質データの入力からデータシートの印刷イメージの出力までに表示される画面の説明図である。
【図１０】図９に続く情報管理システムによる切羽の地質データの入力からデータシートの印刷イメージの出力までに表示される画面の説明図である。
【図１１】図１０に続く情報管理システムによる切羽の地質データの入力からデータシートの印刷イメージの出力までに表示される画面の説明図である。
【図１２】図１１に続く情報管理システムによる切羽の地質データの入力からデータシートの印刷イメージの出力までに表示される画面の説明図である。
【図１３】図１２に続く情報管理システムによる切羽の地質データの入力からデータシートの印刷イメージの出力までに表示される画面の説明図である。
【図１４】図１３に続く情報管理システムによる切羽の地質データの入力からデータシートの印刷イメージの出力までに表示される画面の説明図である。
【図１５】図１４に続く情報管理システムによる切羽の地質データの入力からデータシートの印刷イメージの出力までに表示される画面の説明図である。
【図１６】図１の情報管理システムによる切羽の地質データの入力から切羽観察データシートの印刷イメージの出力までの動作を示すフローチャートである。
【符号の説明】
１  情報管理システム
２1 〜２N   作業所端末
２ａ1 〜２ａN   プリンタ
３  一般端末（作業所端末）
４  システムサーバ（評価点算出部、ファイル変換部）
５  データベース
ＮＷ  インターネット（通信回線）
【図１】
0004503190.tif 000002
【図２】
0004503190.tif 000003
【図３】
0004503190.tif 000004
【図４】
0004503190.tif 000005
【図５】
0004503190.tif 000006
【図６】
0004503190.tif 000007
【図７】
0004503190.tif 000008
【図８】
0004503190.tif 000009
【図９】
0004503190.tif 000010
【図１０】
0004503190.tif 000011
【図１１】
0004503190.tif 000012
【図１２】
0004503190.tif 000013
【図１３】
0004503190.tif 000014
【図１４】
0004503190.tif 000015
【図１５】
0004503190.tif 000016
【図１６】
0004503190.tif 000017